(57)【特許請求の範囲】
【請求項１】
薬液カートリッジ収納部と、薬液カートリッジ内のガスケットを押すためのプランジャーと、注射針取付部とを備え、ハブと先端側に形成された穿刺針部と後端側に形成されたカートリッジ刺通針部を備える中空針と該中空針の中間部に固着されたハブとを備える注射針を装着可能な注射器であって、
前記注射針取付部は、注射針ハブを保持するハブ保持部と、注射器の後端側に移動可能な移動部材と、該移動部材が注射器の後端側に移動すると前記ハブ保持部による注射針ハブの保持が解除され、前記移動部材が注射器の先端側に位置すると前記ハブ保持部による注射針ハブの保持が可能となるハブ着脱機構を備え、そして、前記移動部材は、外筒部材と、該外筒部材と同軸的に設けられた内筒部材を有し、該内筒部材は、注射針装着時にハブ内に侵入し、装着された注射針のハブのガタツキを抑制するためのハブ内侵入可能部と、後端側に伸びるカートリッジ押圧部とを有することを特徴とする注射器。
【請求項２】
前記移動部材は、前記ハブ保持部を収納し、さらに、該移動部材内には、該移動部材と前記ハブ保持部とにより圧縮されたバネ部材を有している請求項１に記載の注射器。
【請求項３】
前記ハブ保持部は、複数のハブ保持用爪を備えるハブ保持部材と、該ハブ保持部材と一体あるいは該ハブ保持部材に固着され、注射針のカートリッジ刺通針部が挿通可能な誘導路形成部材を有する請求項１または２に記載の注射器。
【請求項４】
前記ハブ保持用爪は、移動部材が注射器の後端側に移動することにより、外方に押し広げられるように変形するものである請求項３に記載の注射器。
【請求項５】
前記注射針ハブは、後端部に形成されたフランジを有し、前記ハブ保持用爪は、先端部に形成されたハブ誘導用傾斜部と、該傾斜部より後方に形成され、前記ハブのフランジと係合するフランジ係合部とを有する請求項３または４に記載の注射器。
【請求項６】
前記注射針取付部は、注射針装着時に注射針ハブと接触し、注射針の回転を抑制するための注射針回転抑制部を有する請求項１ないし５のいずれかに記載の注射器。
【請求項７】
前記注射針回転抑制部は、前記移動部材の軸に対してほぼ直交するように、かつ注射針装着時に注射針ハブと接触可能な位置に形成された平板部の表面に形成され、注射針ハブの後端部と係合可能なリブである請求項６に記載の注射器。
【請求項８】
前記移動部材は、前記ハブ保持部を収納し、さらに、該移動部材内には、該移動部材と前記ハブ保持部とにより圧縮された弾性部材を有している請求項１に記載の注射器。
【請求項９】
前記ハブ保持部は、先端側にハブ保持用爪を備える複数のハブ保持部材と、カートリッジ刺通針部が挿通可能な誘導路を有し、該ハブ保持部材の後端部を回動可能に支持するハブ保持部材支持部材と、該ハブ保持部材支持部材と前記ハブ保持部材とにより圧縮され前記ハブ保持部材をハブを保持可能な方向に付勢するための弾性部材とを備える請求項１，２，８のいずれかに記載の注射器。
【請求項１０】
前記注射器は、前記移動部材が前記注射器の後方に移動した状態では、前記注射針取付部による前記注射針の保持状態が解除されるものである請求項１に記載の注射器。
【請求項１１】
前記注射針ハブは、後端部に形成されたフランジを有し、前記移動部材は、前記移動部材が前記注射器の先端側に位置し、前記ハブ着脱機構により前記ハブ保持部により前記注射針ハブが保持された状態では、前記注射針ハブの前記後端部を被包し、前記移動部材が前記注射器の後端側に移動し前記ハブ保持部による前記注射針ハブの保持が解除された状態では、前記後端部を含む前記注射針ハブを露出させるものである請求項１ないし１０のいずれかに記載の注射器。
【発明の詳細な説明】
【０００１】
【発明の属する技術分野】
薬液カートリッジを収納するタイプの注射器、例えば、歯科用注射器およびそれに使用される両頭針を備える注射針、およびその廃棄容器に関する。
【０００２】
【従来の技術】
従来より、歯科用などでは、薬液カートリッジの装着および離脱が可能であり、金属などの滅菌可能な材料により形成された再利用可能な注射器が用いられている。注射器の先端部には、注射針ハブ取付部が形成されており、通常、取付部は、ネジ山を有している。このような注射器に使用される注射針は、先端および後端に刃面を有する中空針（両頭針）と、その中間部に固着され、後端が開口した注射針ハブからなるものが用いられている。注射針のハブの後端内面には、注射器の注射針取付部のネジ山に螺合するネジ溝が形成されており、両者の螺合により、注射針は注射器に固定される。注射器に装着される薬液カートリッジは、先端側に注射針の後端側刃先によって刺通可能な閉塞部材と後端側に摺動可能なガスケットとを備え、内部には薬液、例えば、歯科用麻酔剤が充填されている。注射器は、薬液カートリッジのガスケットを押圧するためのプランジャーを備える。
【０００３】
【発明が解決しようとする課題】
上述した注射針の取付けには、注射針ハブを回転させて行うことが必要であり、注射器は再利用されるので、使用後は、注射針を取り外さなければならない。取り外し作業においても、注射針ハブを回転させることが必要となり、作業が容易ではない。この時に不注意に作業を行うと、誤って指に刺す危険性もあった。また、歯科では、口腔内という狭い部位に注射を行うため、注射針の針を意図的に湾曲あるいは屈曲させて使用するケースが多く、一度曲げた針を元の形状に戻すことが困難なため、１つの薬液カートリッジの使用途中で注射針を交換することも多い。この時においても、螺合による注射針の取付けシステムでは、注射針の交換作業は容易なものではなかった。
【０００４】
【課題を解決するための手段】
本発明の目的は、薬液カートリッジの装着および離脱が可能であり、再利用可能な注射器であって、両頭針を備える注射針の着脱を螺合およびその解除といった作業を行う必要がなく、注射針の着脱が極めて容易に行える注射器およびそれに用いられる注射針および注射器より安全かつ容易に注射針の離脱とその収容ができる注射針廃棄容器を提供するものである。
【０００５】
上記目的を達成するものは、薬液カートリッジ収納部と、薬液カートリッジ内のガスケットを押すためのプランジャーと、注射針取付部とを備え、ハブと先端側に形成された穿刺針部と後端側に形成されたカートリッジ刺通針部を備える中空針と該中空針の中間部に固着されたハブとを備える注射針を装着可能な注射器であって、前記注射針取付部は、注射針ハブを保持するハブ保持部と、注射器の後端側に移動可能な移動部材と、該移動部材が注射器の後端側に移動すると前記ハブ保持部による注射針ハブの保持が解除され、前記移動部材が注射器の先端側に位置すると前記ハブ保持部による注射針ハブの保持が可能となるハブ着脱機構を備え、そして、前記移動部材は、外筒部材と、該外筒部材と同軸的に設けられた内筒部材を有し、該内筒部材は、注射針装着時にハブ内に侵入し、装着された注射針のハブのガタツキを抑制するためのハブ内侵入可能部と、後端側に伸びるカートリッジ押圧部とを有する注射器である。
【０００６】
そして、前記移動部材は、前記ハブ保持部を収納し、さらに、該移動部材内には、該移動部材と前記ハブ保持部とにより圧縮されたバネ部材を有していることが好ましい。また、前記ハブ保持部は、複数のハブ保持用爪を備えるハブ保持部材と、該ハブ保持部材と一体あるいは該ハブ保持部材に固着され、注射針のカートリッジ刺通針部が挿通可能な誘導路形成部材を有することが好ましい。さらに、前記ハブ保持用爪は、移動部材が注射器の後端側に移動することにより、外方に押し広げられるように変形するものであることが好ましい。また、前記注射針ハブは、後端部に形成されたフランジを有し、前記ハブ保持用爪は、先端部に形成されたハブ誘導用傾斜部と、該傾斜部より後方に形成され、前記ハブのフランジと係合するフランジ係合部とを有することが好ましい。そして、前記注射針取付部は、注射針装着時に注射針ハブと接触し、注射針の回転を抑制するための注射針回転抑制部を有することが好ましい。さらに、前記注射針回転抑制部は、前記移動部材の軸に対してほぼ直交するように、かつ注射針装着時に注射針ハブと接触可能な位置に形成された平板部の表面に形成され、注射針ハブの後端部と係合可能なリブであることが好ましい。
そして、前記ハブ保持部は、例えば、先端側にハブ保持用爪を備える複数のハブ保持部材と、カートリッジ刺通針部が挿通可能な誘導路を有し、かつ該ハブ保持部材の後端部を回動可能に支持もしくは保持するハブ保持部材支持部材と、該ハブ保持部材支持部材と前記ハブ保持部材とにより圧縮され前記ハブ保持部材をハブを保持可能な方向に付勢するための弾性部材とを備えるものである。また、前記移動部材が注射器の後端側に移動することにより、前記ハブ保持部材を付勢する弾性部材は圧縮され、前記ハブ保持部材は、注射針ハブの保持が解除される方向に前記ハブ保持部材支持部材に対して回動するものである。
【０００７】
また、上記目的を達成するものは、先端および後端に刃面が形成された中空針と、該中空針の中間部に固定され、後端側が開口した注射針ハブとからなる注射針であって、前記ハブは、該注射針が取り付けられる注射器の注射針取付部に形成された注射針回転抑制部と接触するハブ側のハブ回転抑制部を備える注射針である。
【０００８】
また、上記目的を達成するものは、上述の注射器に装着されるための注射針であって、該注射針は、先端および後端に刃面が形成された中空針と、該中空針の中間部に固定され、後端側が開口した注射針ハブとを備え、さらに、前記ハブは、前記注射器の注射針取付部に形成された注射針回転抑制部と係合するハブ側のハブ回転抑制部を備える注射針である。そして、前記ハブ側のハブ回転抑制部は、前記ハブの後端部に形成され、前記リブと係合可能な溝部であることが好ましい。前記ハブの内面は、ねじ溝を有していることが好ましい。
【０００９】
また、上記目的を達成するものは、上述の注射器のための注射針廃棄容器であって、該廃棄容器は、廃棄容器本体と、該廃棄容器本体の上面部に設けられた筒状の注射針離脱用部材からなり、該離脱用部材は、離脱用部材内に前記注射器の注射針取付部を誘導するための誘導部と、誘導部より下方に形成され、前記注射針取付部の少なくとも先端部分を収納可能な内部空間と、この内部空間を形成する離脱用部材の内側面より内方に突出し、ハブ保持部と実質的に接触することなく、かつ移動用部材の通過を阻止するリブを有する注射針廃棄容器である。
【００１０】
【発明の実施の形態】
そこで、本発明の注射器および注射針を図面に示した実施例を用いて説明する。
図１は、注射針を取り付けた平面図である。図２は、注射針を取り付けた状態の本発明の注射器の先端部の拡大断面図である。図３は、図２に示した注射器の注射針取付部を構成するハブ保持部材の平面図であり、図４は、図３に示したハブ保持部材の正面図である。図５は、図２に示した注射器の注射針取付部を構成する移動部材の平面図であり、図６は、図５に示した移動部材のＡ−Ａ線断面図である。
【００１１】
この注射器１は、薬液カートリッジ収納部３と、薬液カートリッジ内のガスケットを押すためのプランジャー４と、注射針取付部５を備える。注射針取付部５は、注射針ハブを保持するハブ保持部６と、注射器の後端側に移動可能な移動部材７と、移動部材７が注射器１の後端側に移動するとハブ保持部６による注射針ハブの保持が解除され、移動部材７が注射器の先端側に位置するとハブ保持部６による注射針ハブの保持が可能となるハブ着脱機構（注射針着脱機構）を備える。
注射針２は、先端および後端に刃面が形成された中空針２１と、中空針２１の中間部に固定され、後端側が開口した注射針ハブ２２とからなる。
【００１２】
図１に示すように、注射器１は、薬液カートリッジ収納部３を有する注射器本体１１と、薬液カートリッジ９内のガスケット９１を押すためのプランジャー４と、このプランジャー４の後端に固定されたプランジャー押圧部１２と、注射器本体１１の後端部に設けられ、指をかけるための把持部１３と、注射針取付部５を有する。図１に示す状態では、プランジャー４の先端部は、薬液カートリッジ９内に侵入しており、ガスケット９１と接触している。プランジャー４を後方に下げることにより、薬液カートリッジは収納部３より離脱可能である。
【００１３】
次に、本発明の注射器の注射針取付部および注射針着脱機構を図面を参照して具体的に説明する。
注射針取付部５は、図２に示すような構造をしている。なお、図２は、注射針取付部５に注射針が取り付けられた状態を示している。薬液カートリッジ９を装着した注射器１に注射針２が取り付けられた状態では、図２に示すように、注射針２の中空針２１の後端側刃先２１ｃは、カートリッジ９の先端部を閉塞する封止部材９２を刺通し、カートリッジ内の薬液を吐出可能となっている。
この注射器の注射針取付部５は、注射針のハブ２２を螺合によることなく装着でき、かつその離脱も容易である。いわゆる注射器への注射針のワンタッチ装着およびワンタッチ離脱（ワンタッチ着脱）が可能となっている。注射針取付部５は、注射針ハブを保持するハブ保持部６と、注射器の後端側に移動可能な移動部材７とを備える。
【００１４】
ハブ保持部６は、図４および図３に示すような形状をしており、ハブ保持用爪６２を備えるハブ保持部材６０と注射針のカートリッジ刺通針部２１ｂのための筒状の誘導路形成部材６１からなり、両者は固着されている。なお、あらかじめ一体物により作成してもよい。
【００１５】
ハブ保持部材６０は、図４および図３に示すように、円筒部６５と、この円筒部６５の上面周縁部に等角度間隔に設けられた複数（具体的には、３つ）のハブ保持用爪６２を備え、爪６２は、上から、ハブ誘導用傾斜部６２ｂ、この傾斜部６２ｂの終端部に形成され、ハブ２２のフランジ２３と係合するフランジ係合部６２ａ、爪６２を外方に広がるように変形させるために設けられた内方突出部６２ｃと、この内方突出部６２ｃの前方に形成された第２の傾斜面６２ｅと、爪６２の変形および変形後の復帰を容易にするために形成された変形容易部６２ｄを備える。また、円筒部６５の後端部内面には、注射器の本体部１１の先端部外面に形成されたねじ山１１ａと螺合するねじ溝６６が形成されている。
【００１６】
誘導路形成部材６１は、ハブ保持部材６０に固定するための円盤状部６８と、この円盤状部６８の中心部より突出する筒状部６３と、円盤状部６８の筒状部６３の基端付近に形成された２つの切欠部６７ａ，６７ｂを有する。筒状部６３の内部には、注射針のカートリッジ刺通針部２１ｂのための誘導路６１ａが形成されている。
【００１７】
注射器の後端側に移動可能な移動部材７は、図５および図６に示すように、外筒部材７０と、この外筒部材７０の中央に同心的に固定された内筒部材７１からなる。外筒部材７０は、中央より若干先端側となる位置に形成された平板部７０ａを備え、平板部７０ａの中央は、内筒部材７１の挿通のために開口しており、さらに、平板部７０ａの周縁部には、等角度間隔に形成された複数（具体的には、３つ）の切欠部７４を有している。この切欠部７４は、上述した爪６２を通過させるための開口である。なお、爪６２および切欠部７４は、２つでもよく、また４つ以上でもよい。好ましくは、製造上の利点および強度面より３つである。
【００１８】
注射針取付部５は、注射針装着時に注射針ハブ２２と接触し、注射針の回転を抑制するための注射針回転抑制部を有する。具体的には、平板部７０ａの中央開口部付近（内筒部材７１に近接する部位）の表面には、後述する注射針ハブ２２の回転防止用溝２４と係合する注射針回転防止用リブ７２を有している。この実施例では、等角度間隔に形成された４つのリブ７２が形成されている。このリブ７２は、長手方向に垂直に切断したときの断面が三角形となるようなリブとなっている。なお、リブ７２はひとつでもよいが、より確実にハブの回転を防止するためには、複数設けられる事が好ましく、２〜１０個程度が好適である。特に、好ましくは、３〜８個である。また、平板部７０ａの中央開口部付近（内筒部材７１に近接する部位）の裏面には、環状の凹部７５が形成されており、内筒部材７１の外面と共同して、後述する弾性部材（バネ部材）８の端部の収納部を形成している。
【００１９】
内筒部材７１は、内部に誘導路形成部材６１の筒状部６３を挿通するための通路７１ａを備え、中央部付近には、移動用外筒部材７０との接合のために肩部７１ｂと、注射針装着時にハブ２２内に侵入しハブ２２のガタツキを抑制するためのハブ内侵入可能部７１ｃと、後端側に伸びる２本のカートリッジを押し下げるためのカートリッジ押圧部７３ａ、７３ｂを備える。このカートリッジ押圧部７３ａ、７３ｂは、図５に破線で示すように、断面形状がほぼ三日月状となっている。このカートリッジ押圧部７３ａ，７３ｂは、図３に示されている切欠部６７ａ，６７ｂを貫通して、下方に移動可能となっている。なお、カートリッジ押圧部は１本でもよいが、上述のように複数（２本）設けることにより、カートリッジの移動を容易にする。ハブ内侵入可能部７１ｃは、円筒状に形成されているが、多角筒状であってもよい。また、ハブ内侵入部７１ｃは、ハブ２２の内に両側面が係合しないように挿入可能な大きさおよび形状となっている。
【００２０】
この注射器１の注射針取付部５は、図２に示すように、上述した移動部材７内に、弾性部材（バネ部材）８とハブ保持部６が収納されることにより組み立てられている。弾性部材としてはバネ部材が用いられている。バネ部材としては、ほぼ移動部材７の２本のカートリッジ押圧部７３ａ、７３ｂを被包する筒状のものが用いられている。なお、弾性部材は、バネ部材に限定されるものではなく、たとえば、ゴムチューブなどでもよい。また、ハブ保持部６の３つの爪６２は、移動部材７の平板部７０ａに形成された３つの切欠部７４より突出する。移動部材７とハブ保持部６は、両者間に介装されたバネ部材８により、両者間が広がるように付勢されている。しかし、注射針を取り付けない状態では、爪６２の係合部６２ａが移動部材７の平板部７０ａと当接（係合）するため、両者は分離しない。言い換えれば、爪６２の係合部６２ａが移動部材７の平板部７０ａと係合することによりバネ部材は圧縮された状態となっている。
【００２１】
そして、注射針のカートリッジ刺通針部２１ｂを誘導路６１ａ内に挿入し、押し進めると、注射針のハブ２２のフランジ２３が爪６２の傾斜面６２ｂに接触する。さらに、押し進めると、ハブ２２のフランジ２３により、爪６２が外方に広がるように変形し、フランジ２３が爪６２の係合部６２ａを乗り越えると、爪６２が元の状態に復帰し、図２のように、注射針取付部５に注射針が固定される。この状態では、注射針を取り付ける以前より移動部材７は若干基端側に移動した状態となり、注射針ハブは、フランジが爪６２の係合部６２ａと移動部材７の平板部７０ａとの間に挟まれ、かつ圧縮されたバネ部材の反発力により狭圧されることにより、保持されている。
【００２２】
注射針２は、中空針２１とハブ２２からなる。中空針２１は、先端側に患者へ穿刺するための穿刺針部２１ａと後端側にカートリッジの閉塞部材を刺通するためのカートリッジ刺通針部２１ｂを備えるいわゆる両頭針である。ハブ２２は、図７および図８に示すように、中空針挿通用通路２２ａと、フランジ２３と、ハブの後端面に環状に均等に形成された多数の放射状に伸びる溝２４を有する。この環状に形成された多数の溝２４は、上述した移動部材７の平板部７０ａに形成された注射針回転防止用リブ７２と係合し、注射針の回転を抑制する。また、ハブ２２の側面部２５の内面には、通常の注射器への螺合による取り付けを可能とするために、ねじ溝２６が形成されており、また、側面部２５は、螺合のための回転を容易とするために、図８に破線で示すように多角形状（具体的には、八角形）に形成されている。
注射針取付部５を含む注射器１の全体は、オートクレーブ滅菌可能な程度の耐久性のある材料、例えば、金属（具体的には、ステンレス鋼）、硬質かつ耐熱性樹脂などで形成されている。
【００２３】
そして、注射針取付部５は、ハブ保持部６の後端内周面に形成されたねじ溝６６を注射器本体１１の先端部側面に形成されたねじ山１１ａに螺合させることにより、図２および図９のように取り付けられる。図２に図示されているように、移動部材が注射器の先端側に位置し、ハブ着脱機構によりハブ保持部により注射針ハブが保持された状態では、移動部材は、フランジが形成された注射針ハブの後端部を被包している。図９は、注射針２を注射器１より離脱させる時の状態を示している。図９に図示されているように、移動部材が注射器の後端側に移動し、ハブ保持部による注射針ハブの保持が解除された状態では、移動部材は、フランジが設けられた後端部を含む注射針ハブを露出させる。そして、ハブ保持部材６０およびハブ保持部材６０に固着された誘導路形成部材６１は、注射器本体１１に対して移動不能である。しかし、移動部材７は、注射器本体１１およびハブ保持部６に固定されていないので、バネ部材８を圧縮できる力を持って移動部材７を注射器の後端方向（図９の矢印方向）に押せば、移動部材７は注射器の後端側に移動する。この移動部材７の後端側への移動により、移動用外筒部材７０の平板部７０ａに形成された切欠部７４は、ハブ保持部材６０の爪６２の内面に沿って後方に移動するとともに、爪６２は、後端側に向かって徐々に肉厚となることにより形成された第２の傾斜面６２ｅが切欠部７４の内側内面７４ａに接触することにより、徐々に外方に押し広げられ、そして、突出部６２ｃの平坦面と切欠部７４の内側内面７４ａが接触し、爪６２の係合部６２ａと注射針のハブ２２のフランジは実質的に接触せず、両者の係合は解除されている。この状態が図９に示す状態である。
【００２４】
そして、移動用外筒部材７０に固定された内筒部材７１も後端方向に移動する。このとき内筒部材７１の後端部に形成されているカートリッジ押圧部７３ａ、７３ｂは、ハブ保持部材６０の切欠部６７ａ，６７ｂを通過して後端側に移動し、カートリッジ９の先端面に当接しカートリッジを後端側に押し下げる。移動部材７の後方への移動距離は、図２に示すＡ（カートリッジ刺通針部２１ｂがカートリッジ内に侵入している長さ）より長いものとなっているため、カートリッジ９の封止部材９２の先端面は、注射針のカートリッジ刺通針部２１ｂの刃先２１ｃより後端側となり、実質的に、注射針のカートリッジ刺通針部２１ｂは、カートリッジと接触しなくなる。これにより、注射針２と注射針取付部５との関係は、注射針ハブ２２の基端部内にハブ保持部６の筒状部材６１の先端が侵入しその中に注射針のカートリッジ刺通針部２１ｂが侵入した状態およびハブ侵入可能部７１ｃの先端部のみがハブの後端部に侵入した状態となり、注射針ハブと注射針取付部とは係合していない状態となるので、注射針２を容易に注射針取付部５より離脱させることができる。このように、この注射器では、注射針取付部５と注射針ハブ２２との係合の解除とカートリッジの封止部材９２へのカートリッジ刺通針部２１ｂの刺通状態の解除とが同時に行えるため、いわゆるワンタッチで注射針を注射器より取り外すことができる。
【００２５】
また、図１０に示すような廃棄容器５１を用いることが好ましい。
この廃棄容器５１は、廃棄容器本体５２と、廃棄容器本体５２の上面部に設けられた筒状の注射針離脱用部材５３からなる。離脱用部材５３は、離脱用部材内に注射器１の注射針取付部５を誘導するために、離脱用部材５３の上端開口部付近に設けられた下方に向かって縮径するテーパー部（誘導部）５４と、このテーパー部５４と連続し、注射針取付部５の少なくとも先端部分を収納可能な内部空間５５と、この内部空間５５を形成する離脱用部材５３の内側面より内方に突出し、ハブ保持部６に実質的に接触することなく、移動部材７の通過を規制する環状リブ５６を有する。この環状リブ５６の内径は、注射針取付部５の先端部（移動部材の外筒部の先端部）の外径より小さく、かつ、ハブ保持部のハブ保持用爪６２には実質的に接触しないように形成されている。離脱用部材５３内に挿入された注射器１の注射針取付部５は、リブ５６に当接し、その状態でさらに注射器を下方に押すと、上述のように、注射針取付部５の移動部材７のみは、その状態を維持し、他の部分は、廃棄容器の下方に移動する。このため、相対的には、移動部材７のみが、注射器の後方に移動したのと同じ状態となり、注射針取付部５による注射針２の保持状態が解除され、注射針２に加わる重力および注射針取付部５の後方への移動時の振動などにより、注射針２は、注射器１より離脱し下方に自然に落下する。よって、このような、注射針取付部５の移動部材７の移動補助機能を有する廃棄容器を用いることにより、実質的に注射針に触れる事なく、注射器１からの離脱と廃棄が同時に行える。
【００２６】
なお、廃棄容器本体５２は、一体物に限られず、筺体とこの筺体の開口部を閉塞するように設けられ、かつ離脱用部材５３を備える蓋部材とにより形成してもよい。また、リブ５６は、環状ではなく、点在する突起であってもよい。
【００２７】
次に、本発明の他の実施例の注射器を説明する。なお、取り付けられている注射針は、上述したものと同じである。
図１１は、注射針を取り付けた状態の本実施例の注射器の平面図である。図１２は、注射針を取り付けた状態の注射器の先端部の拡大部分断面図である。図１３は、注射器の注射針取付部の構成部品を説明するための説明図である。図１４は、ハブ保持部材を保持する保持機構を備えたハブ保持部材支持部材の平面図である。図１５は、図１４のＢ−Ｂ線断面図である。図１６は、ハブ保持部材の平面図である。図１７は、図１６のＣ−Ｃ線断面図である。図１８は、この実施例の注射器より注射針を離脱する時の作用を説明するための説明図である。
【００２８】
この注射器１００は、上述した実施例と同様に、図１１に示すように、薬液カートリッジ収納部３と、薬液カートリッジ内のガスケットを押すためのプランジャー４と、注射針取付部５を備える。注射針取付部５は、注射針ハブを保持するハブ保持部６と、注射器の後端側に移動可能な移動部材７と、移動部材７が注射器１の後端側に移動するとハブ保持部６による注射針ハブの保持が解除され、移動部材７が注射器の先端側に位置するとハブ保持部６による注射針ハブの保持が可能となるハブ着脱機構（注射針着脱機構）を備える。
この注射器１００と上述した注射器１との相違は、ハブ保持機構の相違のみであり、注射針２については、同じである。なお、同じ部材については、同じ符号を付す。
【００２９】
注射針取付部５は、図１２および図１３に示すような構造をしている。なお、図１２は、注射針取付部５に注射針が取り付けられた状態を示している。薬液カートリッジ９を装着した注射器１００に注射針２が取り付けられた状態では、図２に示すように、注射針２の中空針２１の後端側刃先２１ｃは、カートリッジ９の先端部を閉塞する封止部材９２を刺通し、カートリッジ内の薬液を吐出可能となっている。
【００３０】
この注射器の注射針取付部５は、注射針のハブ２２を螺合によることなく装着でき、かつその離脱も容易である。いわゆる注射器への注射針のワンタッチ装着およびワンタッチ離脱（ワンタッチ着脱）が可能となっている。
注射針取付部５は、図１３に示すように、注射針ハブを保持するハブ保持部６と、注射器の後端側に移動可能な移動部材７と、両者間にて圧縮される弾性部材（この実施例では、バネ部材）８とを備える。
【００３１】
ハブ保持部６は、図１２に示すような構造をしている。ハブ保持部６は、図１３および図１２に示すように、先端側にハブ保持用爪を備える複数（具体的には、３つ）のハブ保持部材１６２と、ハブ保持部材１６２の後端部１６２ｅを回動可能に保持する保持機構（この実施例では、保持溝１６１ａと切欠部１６１ｃにより構成されている）とカートリッジ刺通針部が挿通可能な誘導路１７１を有するハブ保持部材支持部材１６１と、支持部材１６１とハブ保持部材１６２とにより圧縮され、ハブ保持部材１６２をハブ２２を保持可能な方向に付勢するための弾性部材１１５を備える。
【００３２】
ハブ保持部材支持部材１６１は、図１２、図１３、図１４および図１５に示すように、円盤状部１６８と、この円盤状部１６８上に、等角度間隔で設けられた複数（例えば、３または４）のハブ保持部材の保持機構が形成されている。ハブ保持部材の保持機構は、図１４および図１５に示すように、円盤状部１６８上に形成されたフランジ状突出部１６１ｂと、円盤状部１６８との間に形成されたハブ保持部材保持用溝１６１ａと、フランジ状突出部１６１ｂの周縁に等角度間隔形成された部分的な切欠部（ハブ後端部収納部）１６１ｃとにより構成されている。フランジ状突出部１６１ｂの切欠部分および切欠部１６１ｃと円盤状部１６８との間の溝１６１ａにより構成されるハブ保持機構内に後述するハブ保持部材１６２の後端部分１６２ｅが回動可能に収納される。
【００３３】
また、円盤状部１６８の中心部より、後述する誘導路１７１を形成する筒状部１６３が突出している。円盤状部１６８の筒状部１６３の基端付近には２つの切欠部１６７ａ，１６７ｂが形成されている。筒状部１６３の内部には、注射針のカートリッジ刺通針部２１ｂのための誘導路１７１が形成されている。また、円盤状部１６８の後端側には、図１５に示すように、円筒部１６５および円筒部１６５と円盤状部１６８との間には、段差部１６９が形成されており、円筒部１６５の後端部内面には、注射器の本体部１１の先端部外面に形成されたねじ山と螺合するねじ溝１６６が形成されている。段差部１６９は、後述するハブ保持部材１６２をハブを保持可能な方向に付勢するための弾性部材１１５（例えば、バネ部材）との当接面を構成する。
【００３４】
ハブ保持部材１６２は、図１２および図１３に示すように、ハブ保持用爪１６２ａを備え、爪１６２ａは、先端側からハブ誘導用傾斜部１６２ｂ、この傾斜部１６２ｂの終端部に形成され、ハブ２２のフランジ２３と係合するフランジ係合部１６２ｃ、ハブ保持部材１６２の外側面に形成されており後述する移動部材７と係合するための突起１６２ｄ、後端に形成されており上述したハブ保持部材支持部材１６１の切欠部１６１ｃの下側（後端側）に位置する部分のハブ保持部材保持用溝１６１ａ内に収納される突起１６２ｅ、突起１６２ｅの底面に形成されておりハブ保持部材１６２の回動を可能とするために先端側に傾斜した傾斜部１６２ｆを備えている。図１１に示したように、ハブ保持部材１６２は、後端の突起１６２ｅがハブ保持部材支持部材１６１のハブ保持部材保持用溝１６１ａ内に収納された状態において、軸方向に対して、移動部材７と係合するための突起１６２ｄが外方に突出した状態となる。突起１６２ｄの先端面は、移動部材（正確には、後述する移動部材７の平板部７０ａの周縁部に形成された切欠部７４の外側端部７５ａ）との係合面であり、後端面は、ハブ保持部材１６２をハブを保持可能な方向に付勢するための弾性部材１１５との当接面となっている。
【００３５】
注射針を取り付けた図１２の状態では、ハブ保持部材１６２の後端部の突起１６２ｅの底面は斜面１６２ｆとなっているので、ハブ保持部材支持部材の円盤状部１６８の上面にその先端のみが接触しており、その他の部分は接触せず、空間となっている。このため、ハブ保持部材１６２は、突起１６２ｅの傾斜底面１６２ｆ全体が円盤状部１６８の上面と接触するまで、回動可能である。
【００３６】
そして、図１２に示すように、ハブ保持部材支持部材１６１とハブ保持部材１６２とにより圧縮され、ハブ保持部材１６２をハブ２２を保持可能な方向に付勢するための弾性部材１１５が設けられている。弾性部材としてバネ部材が用いられており、バネ部材１１５の先端側はハブ保持部材１６２の突起１６２ｄの後端面に当接し、バネ部材１１５の後端側は、円筒部１６５と円盤状部１６８との間の段差部１６９に当接し、両者により圧縮された状態となっている。このため、バネ部材の復元力によりハブ保持部材は、後端の突起１６２ｅの先端部分を軸としてハブ方向（言い換えれば、ハブ保持部の内側方向）に付勢された状態となっている。なお、弾性部材はさらに圧縮可能である。なお、弾性部材は、バネ部材に限られるものではなく、ゴムチューブなどであってもよい。
【００３７】
注射器１００の後端側に移動可能な移動部材７は、図１２，図１３，図１６および図１７に示すように、外筒部材７０と、この外筒部材７０の中央に同心的に固定された内筒部材７１とからなる。外筒部材７０は、中央より若干先端側となる位置に形成された平板部７０ａを備え、平板部７０ａの中央は、内筒部材７１の挿通のために開口しており、さらに、平板部７０ａの周縁部には、等角度間隔に形成された複数（具体的には、３つ）の切欠部７４を有している。この切欠部７４は、上述したハブ保持部材１６２の爪１６２ａを通過させるための開口である。なお、爪１６２ａおよび切欠部７４は、２つでもよく、また４つもしくはそれ以上でもよい。好ましくは、製造上の利点および強度面より３つである。
【００３８】
注射針取付部５は、注射針装着時に注射針ハブ２２と接触し、注射針の回転を抑制するための注射針回転抑制部を有する。具体的には、平板部７０ａの中央開口部付近（内筒部材７１に近接する部位）の表面には、後述する注射針ハブ２２の回転防止用溝２４と係合する注射針回転防止用リブ７２を有している。この実施例では、等角度間隔に形成された４つのリブ７２が形成されている。このリブ７２は、長手方向に垂直に切断したときの断面が三角形となるようなリブとなっている。なお、リブ７２はひとつでもよいが、より確実にハブの回転を防止するためには、複数設けられる事が好ましく、２〜１０個程度が好適である。特に、好ましくは、３〜８個である。また、平板部７０ａの中央開口部付近（内筒部材７１に近接する部位）の裏面には、環状の凹部７５が形成されており、内筒部材７１の外面と共同して、後述する弾性部材（バネ部材）８の端部の収納部を形成している。
【００３９】
内筒部材７１は、内部にハブ保持部材支持部材１６１の筒状部１６３を挿通するための通路７１ａを備え、軸方向中央部付近の外面には、移動用外筒部材７０との接合のための肩部７１ｂ、この肩部７１ｂより先端側には注射針装着時にハブ２２内に侵入しハブ２２のガタツキを抑制するためのハブ内侵入可能部７１ｃ、後端側に伸びる２本のカートリッジを押し下げるためのカートリッジ押圧部７３ａ、７３ｂを備える。このカートリッジ押圧部７３ａ、７３ｂは、図１６に破線で示すように、断面形状がほぼ三日月状となっている。このカートリッジ押圧部７３ａ，７３ｂは、図１４に示されている切欠部１６７ａ，１６７ｂを貫通して、下方に移動可能となっている。なお、カートリッジ押圧部は１本でもよいが、上述のように複数（２本）設けることにより、カートリッジの移動を容易にする。ハブ内侵入可能部７１ｃは、円筒状に形成されているが、多角筒状であってもよい。また、ハブ内侵入部７１ｃは、ハブ２２の内にがたつきを抑制しつつ両側面が係合しないように挿入可能な大きさおよび形状となっている。
【００４０】
この注射器１００の注射針取付部５は、図１２に示すように、上述した移動部材７内に、弾性部材（バネ部材）８と弾性部材１１５を含むハブ保持部６が収納されることにより組み立てられている。弾性部材としてはバネ部材が用いられている。バネ部材としては、移動部材７の２本のカートリッジ押圧部７３ａ、７３ｂをほぼ被包する筒状のものが用いられている。なお、弾性部材８は、バネ部材に限定されるものではなく、たとえば、ゴムチューブなどでもよい。また、ハブ保持部材１６２の３つの爪１６２ａは、移動部材７の平板部７０ａに形成された３つの切欠部７４より突出する。移動部材７とハブ保持部６は、両者間に介装されたバネ部材８により、両者間が広がるように付勢されている。しかし、注射針を取り付けない状態では、爪１６２ａの係合部１６２ｃが移動部材７の平板部７０ａと当接（係合）するため、両者は分離しない。言い換えれば、爪１６２ａの係合部１６２ｃが移動部材７の平板部７０ａと係合することによりバネ部材は圧縮された状態となっている。
【００４１】
そして、注射針のカートリッジ刺通針部２１ｂを誘導路１７１内に挿入し、押し進めると、注射針のハブ２２のフランジ２３が爪１６２ａの傾斜面１６２ｂに接触する。さらに、押し進めると、ハブ２２のフランジ２３により、ハブ保持部材１６２が外方に広がるように回動し、フランジ２３が爪１６２ａの係合部１６２ｃを乗り越えると、爪１６２ａが元の状態に復帰し、図１２のように、注射針取付部５に注射針が固定される。この状態では、注射針を取り付ける以前より移動部材７は若干基端側に移動した状態となり、注射針ハブ２２は、フランジ２３が爪１６２ａの係合部１６２ｃと移動部材７の平板部７０ａとの間に挟まれ、かつ圧縮されたバネ部材の反発力により狭圧されることにより、保持されている。
【００４２】
注射針２は、中空針２１とハブ２２からなる。中空針２１は、先端側に患者へ穿刺するための穿刺針部２１ａと後端側にカートリッジの閉塞部材を刺通するためのカートリッジ刺通針部２１ｂを備えるいわゆる両頭針である。ハブ２２は、図７および図８に示すように、中空針挿通用通路２２ａと、フランジ２３と、ハブの後端面に環状に均等に形成された多数の放射状に伸びる溝２４を有する。この環状に形成された多数の溝２４は、上述した移動部材７の平板部７０ａに形成された注射針回転防止用リブ７２と係合し、注射針の回転を抑制する。また、ハブ２２の側面部２５の内面には、通常の注射器への螺合による取り付けを可能とするために、ねじ溝２６が形成されており、また、側面部２５は、螺合のための回転を容易とするために、図８に破線で示すように多角形状（具体的には、八角形）に形成されている。
【００４３】
注射針取付部５を含む注射器１００の全体は、オートクレーブ滅菌可能な程度の耐久性のある材料、例えば、金属（具体的には、ステンレス鋼）、硬質かつ耐熱性樹脂などで形成されている。
そして、注射針取付部５は、ハブ保持部材支持部材１６１の後端内周面に形成されたねじ溝１６６を注射器本体１１の先端部側面に形成されたねじ山１１ａに螺合させることにより、図１２および図１８のように取り付けられる。図１８は、注射針２を注射器１００より離脱させる時の状態を示している。ハブ保持部材支持部材１６１およびこのハブ保持部材支持部材１６１により保持されたハブ保持部材１６２は、注射器本体１１に対して移動不能である。しかし、移動部材７は、注射器本体１１およびハブ保持部６に固定されていないので、バネ部材８を圧縮できる力を持って移動部材７を注射器の後端方向（図１８の矢印方向）に押せば、移動部材７は注射器の後端側に移動する。この移動部材７の後端側への移動により、移動用外筒部材７０の平板部７０ａに形成された切欠部７４もハブ保持部材１６２の後方に移動し、ハブ保持部材１６２は、後端側に向かって徐々に肉厚となることにより形成された傾斜面が切欠部７４の内側内面７４ａに接触することにより、徐々に外方に押され、やがて、移動部材７の平板部７０ａの切欠部７４の外側部分（肩部７５ａ）がハブ保持部材１６２の突起１６２ｄと当接（係合）し、弾性部材１１５が圧縮され、ハブ保持部材１６２の回動が進行し、３つのハブ保持部材の先端が離間する方向（言い換えれば、注射針ハブの保持が解除される方向）に開き（言い換えれば、ハブ保持部材支持部材１６１に対して回動し）、ハブ保持部材１６２の係合部１６２ｃと注射針のハブ２２のフランジ２３は実質的に接触せず、両者の係合が解除される。この状態が図１８に示す状態である。
【００４４】
そして、移動用外筒部材７０に固定された内筒部材７１も後端方向に移動する。このとき内筒部材７１の後端部に形成されているカートリッジ押圧部７３ａ、７３ｂは、ハブ保持部材６０の切欠部１６７ａ，１６７ｂを通過して後端側に移動し、カートリッジ９の先端面に当接しカートリッジを後端側に押し下げる。移動部材７の後方への移動距離は、カートリッジ刺通針部２１ｂがカートリッジ内に侵入している長さより長いものとなっているため、カートリッジ９の封止部材９２の先端面は、注射針のカートリッジ刺通針部２１ｂの刃先２１ｃより後端側となり、実質的に、注射針のカートリッジ刺通針部２１ｂは、カートリッジと接触しなくなる。これにより、注射針２と注射針取付部５との関係は、注射針ハブ２２の基端部内にハブ保持部６の筒状部１６３の先端が侵入しその中に注射針のカートリッジ刺通針部２１ｂが侵入した状態およびハブ侵入可能部７１ｃの先端部のみがハブの後端部に侵入した状態となり、注射針ハブと注射針取付部とは係合していない状態となるので、注射針２を容易に注射針取付部５より離脱させることができる。このように、この注射器では、注射針取付部５と注射針ハブ２２との係合の解除とカートリッジの封止部材９２へのカートリッジ刺通針部２１ｂの刺通状態の解除とが同時に行えるため、いわゆるワンタッチで注射針を注射器より取り外すことができる。
【００４５】
この実施例の注射器では、ハブ保持部材支持部材とハブ保持部材を別部材にて形成し、ハブ保持部材を弾性部材により、内側に付勢したものとなっている。このため、ハブ保持部材は、いずれの部材にも固定されておらず、その動きが容易であり、このため、移動部材の移動時における抵抗が少なく、注射針の着脱がより容易となる。
【００４６】
【発明の効果】
本発明の注射器は、薬液カートリッジ収納部と、薬液カートリッジ内のガスケットを押すためのプランジャーと、注射針取付部とを備え、ハブと先端側に形成された穿刺針部と後端側に形成されたカートリッジ刺通針部を備える中空針と該中空針の中間部に固着されたハブとを備える注射針を装着可能な注射器であって、前記注射針取付部は、注射針ハブを保持するハブ保持部と、注射器の後端側に移動可能な移動部材と、該移動部材が注射器の後端側に移動すると前記ハブ保持部による注射針ハブの保持が解除され、前記移動部材が注射器の先端側に位置すると前記ハブ保持部による注射針ハブの保持が可能となるハブ着脱機構を備える。このため、両頭針を備える注射針の着脱を螺合およびその解除といった作業を行う必要がなく、注射針の着脱が極めて容易に行える。
【００４７】
本発明の注射針は、先端および後端に刃面が形成された中空針と、該中空針の中間部に固定され、後端側が開口した注射針ハブとからなる注射針であって、前記ハブは、該注射針が取り付けられる注射器の注射針取付部に形成された注射針回転抑制部と接触するハブ側のハブ回転抑制部を備える。このため、螺合によることなく注射器に注射針が取りつけられるタイプの注射器に用いても、注射針が回転することがなく、注射操作が容易である。
【００４８】
また、本発明の注射針廃棄容器は、上述した注射器のための注射針廃棄容器であって、該廃棄容器は、廃棄容器本体と、該廃棄容器本体の上面部に設けられた筒状の注射針離脱用部材からなり、該離脱用部材は、離脱用部材内に前記注射器の注射針取付部を誘導するための誘導部と、誘導部より下方に形成され、前記注射針取付部の少なくとも先端部分を収納可能な内部空間と、この内部空間を形成する離脱用部材の内側面より内方に突出し、ハブ保持部と実質的に接触することなく、かつ移動部材の通過を阻止するリブを有する。この廃棄容器によれば、注射針を取り付けた状態の注射器の注射針取付部を廃棄容器の注射針離脱用部材内に押し込むことにより、実質的に注射針に触れる事なく、注射器より注射針を極めて容易に離脱させることができかつ離脱と同時に注射針収納することができる。
【図面の簡単な説明】
【図１】図１は、注射針を取り付けた状態の本発明の注射器の一実施例の平面図である。
【図２】図２は、注射針を取り付けた状態の本発明の注射器の先端部の拡大断面図である。
【図３】図３は、図２に示した注射器の注射針取付部を構成するハブ保持部材の平面図である。
【図４】図４は、図３に示したハブ保持部材の正面図である。
【図５】図５は、図２に示した注射器の注射針取付部を構成する移動部材の平面図である。
【図６】図６は、図５に示した移動部材のＡ−Ａ線断面図である。
【図７】図７は、本発明の注射針に使用される注射針ハブの部分断面図である。
【図８】図８は、本発明の注射針に使用される注射針ハブの底面図である。
【図９】図９は、本発明の注射器より注射針を離脱する時の作用を説明するための説明図である。
【図１０】図１０は、本発明の注射針廃棄容器の一実施例の断面図である。
【図１１】図１１は、注射針を取り付けた状態の他の実施例の注射器の平面図である。
【図１２】図１２は、注射針を取り付けた状態の注射器の先端部の拡大部分断面図である。
【図１３】図１３は、注射器の注射針取付部の構成部品を説明するための説明図である。
【図１４】図１４は、ハブ保持部材を保持する保持機構を備えたハブ保持部材支持部材の平面図である。
【図１５】図１５は、図１４のＢ−Ｂ線断面図である。
【図１６】図１６は、ハブ保持部材の平面図である。
【図１７】図１７は、図１６のＣ−Ｃ線断面図である。
【図１８】図１８は、この実施例の注射器より注射針を離脱する時の作用を説明するための説明図である。
【符号の説明】
１  注射器
３  薬液カートリッジ収納部
４  プランジャー
５  注射針取付部
６  ハブ保持部
７  移動部材
８  バネ部材
６０  ハブ保持部材
６１  誘導路形成部材
６２  ハブ保持用爪
７０  移動用外筒部材
７１  内筒部材
１００  注射器
１６１  ハブ保持部材支持部材
１６２  ハブ保持部材
１１５  弾性部材
【図１】
0003892095.tif 000002
【図２】
0003892095.tif 000003
【図３】
0003892095.tif 000004
【図４】
0003892095.tif 000005
【図５】
0003892095.tif 000006
【図６】
0003892095.tif 000007
【図７】
0003892095.tif 000008
【図８】
0003892095.tif 000009
【図９】
0003892095.tif 000010
【図１０】
0003892095.tif 000011
【図１１】
0003892095.tif 000012
【図１２】
0003892095.tif 000013
【図１３】
0003892095.tif 000014
【図１４】
0003892095.tif 000015
【図１５】
0003892095.tif 000016
【図１６】
0003892095.tif 000017
【図１７】
0003892095.tif 000018
【図１８】
0003892095.tif 000019